(57)【要約】【目的】  コンピュータ装置に対するドライバのセットアップ作業を正確かつ迅速に行えるようにする。【構成】  この発明のインストーラはドライバをコンピュータ装置へインストールするためのコンピュータプログラムであって、ドライバインストール用実行ファイル、ドライバのプロパティ情報、該プロパティ情報を前記ドライバへ設定するためのプロパティ設定実行ファイルを１つの実行ファイルとしてまとめて保存し、コンピュータ装置を次のように機能させる、（１）コンピュータプログラムがコンピュータ装置へ入力されたとき、ドライバインストール用実行ファイル、プロパティ情報ファイル、プロパティ設定実行ファイルを解凍し、（２）ドライバインストール用実行ファイルを実行してドライバを第２のコンピュータ装置にインストールし、（３）プロパティ設定実行ファイルを実行してプロパティ情報ファイル内のプロパティ情報を自動的にドライバへ設定する。【選択図】    図１
2006011950.tif 000002
【特許請求の範囲】
【請求項１】
第１のコンピュータ装置にインストールされたドライバのプロパティ情報を取得するプロパティ情報取得部、
前記プロパティ情報を保存したプロパティ情報ファイルを作成するプロパティ情報ファイル作成部、
前記ドライバを第２のコンピュータ装置にインストールした際、前記プロパティ情報を前記ドライバへ自動的に設定するプロパティ設定実行ファイルを作成するプロパティ設定実行ファイル作成部、
ドライバインストール実行ファイル、前記プロパティ情報ファイル及び前記プロパティ設定実行ファイルを１つの実行ファイルに纏めるファイル圧縮部、
を備えてなるインストーラ作成装置。
【請求項２】
前記第１のコンピュータ装置へ前記ドライバをインストールしたときのドライバ情報を取得するドライバ情報取得部、
該ドライバ情報を保存したドライバ情報ファイルを作成するドライバ情報ファイル作成部、
該ドライバ情報を前記第２のコンピュータ装置へ自動的に移植するドライバ情報移植実行ファイルを作成するドライバ情報移植実行ファイル作成部、
を更に備え、前記ファイル圧縮部において前記ドライバ情報ファイル及びドライバ情報移植実行ファイルが前記ドライバインストール実行ファイル、前記プロパティ情報ファイル及び前記プロパティ設定実行ファイルと一緒に１つの実行ファイルに纏められる、ことを特徴とする請求項１に記載のインストーラ作成装置。
【請求項３】
ドライバインストール用の実行ファイルを作成するように第１のコンピュータ装置を動作させるコンピュータプログラムであって、
前記第１のコンピュータ装置に、
該第１のコンピュータ装置にインストールされたドライバのプロパティ情報を取得する手順と、
前記プロパティ情報を保存したプロパティ情報ファイルを作成する手順と、
前記ドライバを第２のコンピュータ装置にインストールした際、前記プロパティ情報を前記ドライバへ自動的に設定するプロパティ設定実行ファイルを作成する手順と、
ドライバインストール実行ファイル、前記プロパティ情報ファイル及び前記プロパティ設定実行ファイルを１つの実行ファイルに纏める手順を実行させるためのコンピュータプログラム。
【請求項４】
前記第１のコンピュータ装置へ前記ドライバをインストールしたときのドライバ情報を取得するドライバ情報取得手段、
該ドライバ情報を保存したドライバ情報ファイルを作成するドライバ情報ファイル作成手段、
該ドライバ情報を前記第１のコンピュータ装置へ自動的に移植するドライバ情報移植実行ファイルを作成するドライバ情報移植実行ファイル作成手段、
として前記第２のコンピュータ装置を機能させ、
前記ファイル圧縮手段において前記ドライバ情報ファイル及びドライバ情報移植実行ファイルが前記ドライバインストール実行ファイル、前記プロパティ情報ファイル及び前記プロパティ設定実行ファイルと一緒に１つの実行ファイルに纏められる、ことを特徴とする請求項３に記載のコンピュータプログラム。
【請求項５】
第１のコンピュータ装置上で、ドライバインストール実行ファイル、前記ドライバのプロパティ情報、該プロパティ情報を前記ドライバへ設定するためのプロパティ設定実行ファイルを１つの実行ファイルとしてまとめて保存されたコンピュータプログラムであって、
第２のコンピュータ装置上で、以下の手順を実行して前記第２のコンピュータ装置へドライバをインストールするためのコンピュータプログラム；
前記コンピュータプログラムが第２のコンピュータ装置へ入力されたとき、前記ドライバインストール用実行ファイル、前記プロパティ情報ファイル、プロパティ設定実行ファイルを解凍し、
前記ドライバインストール用実行ファイルを実行して前記ドライバを前記第２のコンピュータ装置にインストールし、
前記プロパティ設定実行ファイルを実行して前記プロパティ情報ファイル内のプロパティ情報を自動的に前記ドライバへ設定する。
【請求項６】
ドライバをコンピュータ装置へインストールするためのコンピュータプログラムであって、
ドライバインストール用実行ファイル、ドライバインストール用情報ファイル、該ドライバ情報をコンピュータ装置へ移植するためのドライバ情報移植実行ファイル、前記ドライバのプロパティ情報、該プロパティ情報を前記ドライバへ設定するためのプロパティ設定実行ファイルを１つの実行ファイルとして保存し、
コンピュータ装置を次のように機能させる、ことを特徴とするコンピュータプログラム、
前記コンピュータプログラムが前記コンピュータ装置へ入力されたとき、前記ドライバインストール用実行ファイル、ドライバインストール用情報ファイル、ドライバ情報移植実行ファイル、前記プロパティ情報、プロパティ設定実行ファイルを解凍し、
前記ドライバドライバインストール用実行ファイル及び前記ドライバ情報移植実行ファイルを実行して、前記ドライバを自動的に前記第２のコンピュータ装置にインストールし、
前記プロパティ設定実行ファイルを実行して前記プロパティ情報を自動的に前記ドライバへ設定する。
【請求項７】
第１のコンピュータ装置にインストールされたドライバのプロパティ情報を取得する工程と、
前記プロパティ情報を保存したプロパティ情報ファイルを作成する工程と、
前記ドライバを第２のコンピュータ装置にインストールした際、前記プロパティ情報を前記ドライバへ自動的に設定するプロパティ設定実行ファイルを作成する工程と、
ドライバインストール実行ファイル、前記プロパティ情報ファイル及び前記プロパティ設定実行ファイルを１つの実行ファイルに纏める工程と、
を備えてなるインストーラの作成方法。
【発明の詳細な説明】
【技術分野】
【０００１】
この発明はインストーラ作成装置に関する。
【背景技術】
【０００２】
コンピュータ装置へ接続されるプリンタ、モニタ等の周辺機器を駆動させるには、コンピュータ装置へ専用のドライバをインストールしなければならない。そして、周辺機器の使用目的に応じてドライバのプロパティが設定される。このプロパティの設定はコンピュータ毎に手作業で行われていた。
特許文献１には、ドライバをプッシュインストールする際に、プロパティ情報をサーバ装置からクライアント装置へ送信し、クライアント装置においてドライバと共にプロパティ情報を設定する技術が記載されている。
また、特許文献２には開発用コンピュータ装置（第１のコンピュータ装置）のデバイス環境設定情報を、店舗用クライアントコンピュータ装置（第２のコンピュータ）のレジストリのデバイス環境設定情報へユーザインタフェースを利用せずに格納し、更に店舗用クライアントコンピュータ装置における固有の設定情報を、ユーザインタフェースを利用せずに、自動設定する技術が開示されている。
【０００３】
その他、本発明に関連する技術を開示する文献として特許文献３を参照されたい。
【特許文献１】特開２００３−１５７１７４号公報
【特許文献２】特開２００２−２１５３９６号公報
【特許文献３】特開２００３−８４９８６号公報
【発明の開示】
【発明が解決しようとする課題】
【０００４】
本発明者らは同一環境で使用される大量のコンピュータ装置へ同一のドライバをインストールし、そのプロパティ（全コンピュータにおいて同一プロパティ）を設定する作業に多大な手間がかかっていることに着目し、これを簡単な作業で行えるようにするため鋭意検討を重ねてきた。
特許文献１に記載の技術ではサーバ装置から、これとネットワークで接続された、クライアント装置へドライバをプッシュインストールするとともにプロパティ情報を提供しているので、簡単な操作でプロパティ情報を設定可能となり、セットアップ作業が軽減されることとなる。しかしながら、サーバ装置とクライアント装置とがネットワーク接続されている必要があり、独立したコンピュータ装置へプロパティ情報を設定することはできなかった。また、新規に同一設定内容を複数のPCに設定する場合には、完全な自動化は実現できなかった。
【課題を解決するための手段】
【０００５】
この発明は、上記の課題を解決すべくなされたものであり、コンピュータ装置にプロパティ情報を自動的に設定できる新規なインストーラの作成を可能とするものである。
即ち、この発明のインストーラ作成装置は、第１のコンピュータ装置にインストールされたドライバのプロパティ情報を取得するプロパティ情報取得部、
前記プロパティ情報を保存したプロパティ情報ファイルを作成するプロパティ情報ファイル作成部、
前記ドライバを第２のコンピュータ装置にインストールした際、前記プロパティ情報を前記ドライバへ自動的に設定するプロパティ設定実行ファイルを作成するプロパティ設定実行ファイル作成部、
ドライバインストール実行ファイル、前記プロパティ情報ファイル及び前記プロパティ設定実行ファイルを１つの実行ファイルに纏めるファイル圧縮部、
を備えてなる。
【発明の効果】
【０００６】
この発明のインストーラ作成装置により作成されたインストーラによれば、このインストーラ（コンピュータプログラム）が第２のコンピュータ装置へ入力されたとき、ドライバインストール用実行ファイル、プロパティ情報ファイル、プロパティ設定実行ファイルが解凍される。そしてドライバインストール用実行ファイルを実行してドライバを第２のコンピュータ装置にインストールし、プロパティ設定実行ファイルを実行してプロパティ情報ファイル内のプロパティ情報を、ユーザインタフェースを利用せずに、自動的にドライバへ設定する。
すなわち、当該インストーラによれば、コンピュータ装置がネットワークへ接続されているか否かに拘わらず、当該コンピュータ装置へドライバのプロパティを自動的に設定可能となる。よって、コンピュータ装置のセットアップ作業が簡素化される。
更には、ドライバインストール用実行ファイル、プロパティ情報ファイル、プロパティ設定実行ファイルが１つに纏められて圧縮されているので、コンピュータ装置へのセットアップ時には１つの実行ファイルを操作するだけでよい。よってこのインストーラを用いれば、コンピュータ装置の扱いに不慣れな操作者であってもコンピュータ装置のセットアップ作業を正確にかつ迅速に行うことができる。
【０００７】
この発明の第２の局面の発明によれば、第２のコンピュータ装置に対してドライバを自動的にインストールできるようにした。即ち、このインストーラは、ドライバインストール用実行ファイル、ドライバインストール用情報ファイル、該ドライバ情報をコンピュータ装置へ移植するためのドライバ情報移植実行ファイル、前記ドライバのプロパティ情報、該プロパティ情報を前記ドライバへ設定するためのプロパティ設定実行ファイルを１つの実行ファイルとして保存し、
コンピュータ装置を次のように機能させる、ことを特徴とするコンピュータプログラム、
前記コンピュータ装置へ入力されたとき、前記ドライバインストール用実行ファイル、ドライバインストール用情報ファイル、ドライバ情報移植実行ファイル、前記プロパティ情報、プロパティ設定実行ファイルを解凍し、
前記ドライバドライバインストール用実行ファイル及び前記ドライバ情報移植実行ファイルを実行して、前記ドライバを自動的に前記第２のコンピュータ装置にインストールし、
前記プロパティ設定実行ファイルを実行して前記プロパティ情報を自動的に前記ドライバへ設定する。
【０００８】
このようなインストーラを用いれば、これを第２のコンピュータ装置へ入力したとき、マウスやキーボード等のユーザインタフェースの使用を何ら操作者に要求することなく、自動的に第２のコンピュータ装置のドライバのセットアップを完了することができる。即ち、第１のコンピュータ装置のドライバ及びそのプロパティ情報が第２のコンピュータ装置に移植される。
【発明を実施するための最良の形態】
【０００９】
以下、この発明の構成要素について説明する。
（コンピュータ装置）
コンピュータ装置には中央演算装置、内部メモリ装置、各種インターフェース及びこれらを繋ぐバス等からなる汎用的なコンピュータ装置を利用することができる。内部メモリ装置には当該コンピュータ装置を機能させるための制御プログラム（コンピュータプログラム）が保存されている。インターフェースとしては入力装置、出力装置（ディスプレイ、プリンタ）、通信ポート用のほかに、外部記憶媒体を着脱可能に連結するための１又は２以上のポートが設けられている。
【００１０】
（ドライバ）
ドライバはコンピュータ装置に接続された周辺機器を動作させるためのプログラムである。周辺機器には、プリンタ、ディスプレイ等の出力装置、バーコードリーダ、スキャナ、マウス等を入力装置等を挙げることができる。
（プロパティ情報）
プロパティ情報は各周辺機器において独自に設定される。なお、ドライバのインストール時にはデフォルト値のプロパティ情報が設定されている。周辺機器のプロパティ情報を適宜設定することにより、コンピュータ装置は実用に供されるものとなる。
たとえば、プリンタ用のプロパティ情報には、コメント、区切りページ、印刷先ポート、ドライバ名、共有の有無、用紙サイズ、用紙の向き、解像度、濃度、印刷品質などがある。これらのパラメータをコンピュータ装置毎に手作業で設定するには多大な手間がかかり、大量のコンピュータ装置を短時間にセットアップするときの課題となっていた。
【００１１】
（実行ファイル）
ドライバインストール用実行ファイルはコンピュータ装置へドライバをインストールするプログラムであり、インストーラの本体をなす。
プロパティ情報設定実行ファイルは、コンピュータ装置へインストールされたドライバのプロパティの内容を指定するプログラムであって、プロパティ情報ファイルに保存されているプロパティ情報をコンピュータ装置の所定のレジストリへ書き込み、また必要なフォルダを形成する。これにより、第２のコンピュータ装置へプロパティ情報を設定するに際に、操作者にはマウス若しくはキーボード等のユーザインタフェースの操作が何ら要求されず、いわゆるサイレンスインストールが実行される。
この特許出願書類では機能の説明上ドライバインストール用実行ファイルとプロパティ情報設定実行ファイルとを別のコンピュータプログラムとして記述しているが、後者が前者へ組み込まれていてもよい。また、プロパティ情報ファイルはデータファイルとしてドライバインストール用実行ファイル若しくはプロパティ情報設定実行ファイルへ組み込むことができる。
【００１２】
ドライバ情報は第１のコンピュータ装置へドライバをインストールしたときに形成された情報であって、この中にドライバ使用許諾書への同意も含まれる。ドライバ情報移植実行ファイルはこのドライバ情報を第２のコンピュータ装置の所定のレジストリへ書き込みまた必要なフォルダを作成するプログラムである。これにより、ドライバインストール用実行ファイルを起動して、第２のコンピュータ装置へドライバをインストールするとき自動的にドライバのインストールが実行される。よって、操作者はマウス若しくはキーボード等のユーザインタフェースを何ら操作する必要がない。つまり、サイレンスインストールが実行されることとなる。
この特許出願書類では機能の説明上ドライバインストール用実行ファイルとドライバ情報移植実行ファイルとを別のコンピュータプログラムとして記述しているが、後者が前者へ組み込まれていてもよい。また、ドライバ情報ファイルはデータファイルとしてドライバインストール用実行ファイル若しくはドライバ情報移植実行ファイルへ組み込むことができる。
【実施例１】
【００１３】
以下、この発明を実施例に基づき更に詳細に説明する。
この実施例では、図１に示すように、ラボ内の開発用コンピュータ装置１（以下、開発用ＰＣと略すことがある）へプリンタ３を接続し、これを稼動させたときの環境を店舗内のＰＯＳコンピュータ装置Ａ、Ｂ、Ｃ  …（以下、店舗用ＰＣと略すことがある）へ移植する。ここに、店舗用ＰＣにも同一機種のプリンタ３が連結されており、当該プリンタ３を稼動させるのに好適な環境が開発用ＰＣにおいて設定されるものとする。
【００１４】
図２は開発用ＰＣ１の構成を示すブロック図である。
開発用ＰＣ１の制御装置１０にはプリンタインターフェース１３を介してプリンタ３が接続される。また、入出力インターフェース１５を介してディスプレイ、マウス・キーボード装置１７及び外部記憶媒体２０に対する書込・読出装置１８が連結される。符号３０はハードディスクなどの内部記憶装置であって、レジストリ領域３１とユーザディレクトリ領域３３を有する。
制御装置１０は演算部及びメモリ部を備える汎用的なＣＰＵから構成され、メモリ部に保存されている制御プログラムにより主制御装置１０１、ドライバ１０３その他のブロックで示した機能が奏される。
【００１５】
ここに、ドライバ１０３はプリンタ３の動作を制御する。ドライバ情報格納部１０５はドライバをセットアップしたときのドライバ情報をハードディスク３０の所定のレジストリに書込み、また所定のディレクトリのファイル（新たに生成する場合もある）へ書き込む。ドライバ情報検索部１０６は後述するカスタマイズインストーラを作成する際にハードディスク３０内の所定のレジストリ及び／又はファイルのドライバ情報を検索して読み出す。プロパティ情報格納部１０７はプロパティを設定したときのプロパティ情報をハードディスク３０の所定のレジストリに書込み、また所定のディレクトリのファイル（新たに生成する場合もある）へ書き込む。プロパティ情報検索部１０８は後述するカスタマイズインストーラを作成する際にハードディスク内の所定のレジストリ及び／又はファイルのプロパティ情報を検索して読み出す。
ファイル圧縮・解凍部１０９は指定されたファイルの圧縮・解凍を行う。
これら各装置は主制御部１０１の制御に従って動作する。
【００１６】
店舗用ＰＣＡ、Ｂ、Ｃ  …の構成も開発用ＰＣと実質的に同一とすることができる。なお、ドライバ情報検索部１０６、プロパティ情報検索部１０８はこれを省略することができる。
【００１７】
次に、実施例のシステムの動作を説明する。
図３は実施例のシステムの基本動作を示すフローチャートである。
まず、開発用ＰＣ１においてプリンタ３用のドライバをインストールする（ステップ１）。このプリンタ３は店舗用ＰＣ１に接続されるものと同一機種である。次にステップ３では開発用ＰＣ１においてプリンタドライバのプロパティ情報を設定する。プリンタ３の動作確認を行った後、開発用ＰＣ１においてカスタマイズインストーラ（コンピュータプログラム）を作成する（ステップ５）。
このカスタマイズインストーラを店舗用ＰＣへインストールする（ステップ７）。これにより店舗内に設置される各店舗用ＰＣへプリンタ３用のドライバがセットアップされる。このとき、開発用ＰＣ１で設定したプロパティ情報が店舗用ＰＣのドライバのプロパティとしてコピーされる。
【００１８】
次に各ステップについて詳細に説明する。
図４は開発用ＰＣ１へドライバをインストールするステップ１の詳細である。
まず、ステップ１１において操作者はドライバインストール用実行ファイル（ＡＤＴ２１０．exe）を指定してダブルクリック等の方法でこれを実行させる。この実行ファイルは外部記憶媒体２０から読み出されて開発用ＰＣのハードディスクの所定のファイルに保存されている。
ドライバインストール用実行ファイルの実行が指定されると、まずその解凍が行われる（ステップ１３）。この解凍により、使用許諾書が表示され、操作者による同意の契約がなされると、所定のディレクトリに少なくとも下記の内容のフォルダを展開する。
MakeInst.exe（実行ファイル：契約約款表示、SetUp.ini編集用ＵＩ表示）
SilentInst.exe（SetUp.iniで指定された情報を元にインストールを行うドライバインストーラ本体）
ドライバ情報ファイル（ドライバをインストールするための各種情報）
【００１９】
ステップ１５では上記MakeInst.exeが実行される。
まず、ＵＩ（ダイアログボックス）を表示して、ＯＳの種類及び言語、プリンタの機種、プリンタポート、プリンタ名を操作者に指定させる。次に、SetUp.iniファイルを所定のディレクトリ３３に作成し、ＵＩ表示において操作者により指定された内容を保存する。これによりＵＩ（ダイアログボックス）で指定された内容に基づきSetUp.iniが作成される。
【００２０】
ステップ１７では上記SilentInst.exeが実行される。
具体的には、まずステップ１３で解凍されたファイルのうち、SetUp.exeで指定された内容のファイルをドライバ情報格納部１０５により所定のフォルダ３３へコピーする。
プロパティ情報格納部１０７によりレジストリ３３にプリンタドライバの情報（プロパティ情報（デフォルト値）等）を書き込む。ここにおいて、SetUp.iniで指定されている情報があればそれも書き込む。なお、SetUp.iniで指定されている情報がないものについては、ＯＳがもっているデフォルト値のままにする。
これにより、ドライバのインストールが完了する。ステップ１１からステップ１７までは一連の動作として自動的に起動される。
【００２１】
ドライバのインストールが終了した後、プロパティ情報の設定が行われる（ステップ３）。このステップの詳細を図５に示した。
ステップ３１では、操作者がマニュアル操作にてプロパティ画面を開く。プロパティ画面の例を図６に示す。操作者はこの画面の内容を確認し、その内容がプリンタ３の動作に不適なものがあればそれを変更する。プリンタ３の動作にとってその内容が適正であれば、そのままにしておく（ステップ３３）。これにより、プリンタ３の稼動に適したものにプロパティ情報がカスタマイズされる。
プロパティ情報のカスタマイズが終了したらプロパティ画面を閉じる（ステップ３３）。これによりプロパティ情報の変更が確定され、プロパティ情報格納部１０７により当該変更されたプロパティ情報がデフォルト値の保存されていた所定のレジストリ３３に上書きされる。
【００２２】
次に、カスタマイズインストーラの作成処理ステップ５の詳細を図７に基づいて説明する。
ステップ５１ではプロパティ情報検索部１０８によりレジストリ３３からプリンタ３に関する全てのプロパティ情報を収集する。収集されたプロパティ情報に基づきSetUp.iniの内容を編集する（ステップ５３）。ステップ５５ではドライバ情報検索部１０６を用いて、ステップ１において解凍・展開されたフォルダ（MakeInst.exe、SilentInst.exe、ドライバ情報ファイル等）から必要なフォルダ（SilentInst.exe、ドライバ情報ファイル）を収集する。
ステップ５７においてはファイル圧縮・解凍部を用いて、プロパティ情報ファイルとしてのSetUp.ini、ドライバインストール用実行ファイルとしてのSilentInst.exe及びドライバ情報ファイルを圧縮し、１つの実行ファイル（ADTXXX.exe）として纏める。この実行ファイルがカスタマイズインストーラとなる。
このカスタマイズインストーラは媒体書込・読出装置１８により、ＦＤ、ＣＤ、ＤＶＤ、メモリカード等の外部記憶媒体２０へ書き込まれる。
【００２３】
カスタマイズインストーラを格納した外部記憶媒体２０は店舗用ＰＣの媒体書込・読出装置１８へセットされる。外部記憶媒体２０からこのカスタマイズインストーラの実行ファイルを店舗用ＰＣの所望のディレクトリへコピーすることもできる。開発用ＰＣ１と店舗用ＰＣとがネットワークで繋がれているときは、ネットワークを介して当該カスタマイズインストーラを店舗用ＰＣの所望のディレクトリへコピーすることができる。
【００２４】
カスタマイズインストーラの実行ファイルが操作者によるダブルクリックなどの方法により指定されると、カスタマイズインストーラが実行される（ステップ７１）。
まず、所定のディレクトリにSetUp.ini、SilentInst.exe、ドライバ情報ファイルの各ファイルを展開する。ここに、SetUp.iniには開発用ＰＣにおいてカスタマイズされたプロパティ情報が含まれている。また、SilentInst.exeはSetUp.ini及びドライバ情報ファイルに基づいてドライバをインストールするインストーラ本体プログラムである。
【００２５】
次に、ステップ７５においてSilentInst.exeを実行する。
この実行により、通常のインストーラと同様にしてドライバ情報ファイルが所定のディレクトリへコピーされ、レジストリへプロパティ情報が書き込まれる。このとき、SetUp.iniの指定に基づき、コピーされるべきドライバ情報ファイルが選択され、また、カスタマイズされたプロパティ情報がレジストリへ書き込まれることとなる。
すなわちこのSilentInst.exeがプロパティ設定実行ファイル及びドライバ情報移植実行ファイルに該当する。
【００２６】
ここにおいて、SetUp.iniにはドライバインストール時にマニュアル設定すべき内容（MakeInst.exeで指定される内容）、及びカスタマイズされたプロパティ情報が全て保存されている。従って、このSilentInst.exeの実行時には、ＵＩ（ダイアログボックス）やプロパティ画面を何ら開くことなく、一連の動作として自動的にセットアップが完了する。即ち、操作者が店舗用ＰＣ装置においてカスタマイズインストーラの実行指示さえすれば、カスタマイズされたプロパティ情報の設定されたプリンタドライバが自動的にセットアップされる。よって、操作者の労力が軽減され、多数の店舗用ＰＣに対しても簡易かつ迅速にプリンタドライバのセットアップが可能になる。
【００２７】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【００２８】
【図１】この発明の実施例の概略構成説明図である。
【図２】同じく実施例のコンピュータ装置の機能を示すブロック図である。
【図３】実施例の基本的動作を示すフローチャートである。
【図４】図３のフローチャートのステップ１の詳細動作を説明するフローチャートである。
【図５】図３のフローチャートのステップ３の詳細動作を説明するフローチャートである。
【図６】プロパティ画面の例を示す。
【図７】図３のフローチャートのステップ５の詳細動作を説明するフローチャートである。
【図８】図３のフローチャートのステップ７の詳細動作を説明するフローチャートである。
【符号の説明】
【００２９】
１  開発用コンピュータ装置
３  プリンタ
１０  制御装置
３０  ハードディスク
【図１】
2006011950.tif 000003
【図２】
2006011950.tif 000004
【図３】
2006011950.tif 000005
【図４】
2006011950.tif 000006
【図５】
2006011950.tif 000007
【図６】
2006011950.tif 000008
【図７】
2006011950.tif 000009
【図８】
2006011950.tif 000010